(57)【要約】【課題】走査装置に関し、組み立ての作業性が優れた走査装置を提供することを目的とする。【解決手段】走査装置は、走査ユニットを有する本体と、表示装置３０と、キーパッド３２と、該表示装置と該キーパッドとを一緒に保持する保持部材３６と、該保持部材を該本体に取り付ける取り付け構造と、複数のケーブル４８を保持する保持部分を有し且つ該キーパッド及び該表示装置の一方にフローティング状に配置されたケーブルホルダ５０とを備えた構成とする。【選択図】      図４
2004280456.tif 000002
【特許請求の範囲】
【請求項１】
走査ユニットを有する本体と、表示装置と、キーパッドと、該表示装置と該キーパッドとを一緒に保持する保持部材と、該保持部材を該本体に取り付ける取り付け構造と、複数のケーブルを保持する保持部分を有し且つ該キーパッドあるいは表示装置の一方にフローティング状に配置されたケーブルホルダとを備え、前記保持部材は該保持部材が該キーパッドに取り付けられるときに該ケーブルホルダに保持されたケーブルに接触せしめられる接触部分を有し、各ケーブルは、複数のワイヤと、該ワイヤを取り囲むシールド編組と、該シールド編組を取り囲む被覆とからなり、該保持部材の接触部分は該ケーブルのシールド編組に接触することを特徴とする走査装置。
【請求項２】
該ケーブルホルダは、該キーパッドに配置され且つ該保持部材が該キーパッドに取り付けられるときに該保持部材に固定されることを特徴とする請求項１に記載の走査装置。
【請求項３】
該キーパッドを該ケーブルホルダに固定する固定部材が該ケーブルホルダの領域内に位置することを特徴とする請求項２に記載の走査装置。
【発明の詳細な説明】
【０００１】
【発明の属する技術分野】
本発明は例えばＰＯＳシステムで使用される走査装置に関する。
【０００２】
【従来の技術】
ＰＯＳシステムで使用される走査装置は走査ユニット（バーコードスキャナ）と、キーボードを含み、物品に設けられたバーコードを走査ユニットによって読み取るばかりでなく、キーボードによって入力を行うことができるようになっている（例えば、特許文献１参照）。走査ユニットの本体はスタンドの形体に形成され、キーボードはその本体にチルト可能に取り付けられる。
【０００３】
さらに、ＰＯＳシステムで使用される走査装置において、電子多項目キーボードと呼ばれる入力手段を設けることがある。電子多項目キーボードはタッチパネルを含む表示装置とキーパッドとを含む。表示装置とキーパッドとは走査ユニットの本体に支持される。
【０００４】
【特許文献１】
特開平５−４６８０１号公報
【０００５】
【発明が解決しようとする課題】
電子多項目キーボードを含む走査装置においては、複数のケーブルがキーパッドと走査ユニットとの間、表示装置と走査ユニットとの間、および表示装置とキーパッドとの間に延びる。走査装置の組み立て作業に際して、表示装置とキーパッド及び関連する支持部材は、複数のケーブルがそれぞれに自由に動く状態で、互いに組み立てられる。このために、組み立て作業に際してケーブルが邪魔になったり、ケーブルが噛み込まれてしまったりし、組み立ての作業性が低くなる。
【０００６】
また、表示装置とキーパッドにそれぞれに静電気によるノイズ対策をしなければならないことがあり、コストアップの原因になる。
【０００７】
本発明の目的は組み立ての作業性が優れた走査装置を提供することである。
【０００８】
【課題を解決するための手段】
本発明による走査装置は、走査ユニットを有する本体と、表示装置と、キーパッドと、該表示装置と該キーパッドとを一緒に保持する保持部材と、該保持部材を該本体に取り付ける取り付け構造と、複数のケーブルを保持する保持部分を有し且つ該キーパッドあるいは該表示装置の一方にフローティング状に配置されたケーブルホルダとを備え、前記保持部材は該保持部材が該キーパッドに取り付けられるときに該ケーブルホルダに保持されたケーブルに接触せしめられる接触部分を有し、各ケーブルは、複数のワイヤと、該ワイヤを取り囲むシールド編組と、該シールド編組を取り囲む被覆とからなり、該保持部材の接触部分は該ケーブルのシールド編組に接触することを特徴とするものである。
【０００９】
この構成によれば、表示装置とキーパッドとは保持部材によって一緒に保持される。複数のケーブルはケーブルホルダによってそろって保持される。ケーブルホルダはキーパッド及び表示装置の一方に配置されている。ケーブルホルダは動くことはできるが、ほぼ一定の位置に維持される。従って、複数のケーブルは組み立てに際してはまとめて所定の位置に保持されるので、組み立て作業の邪魔にならず、組み立ての作業性が向上する。
【００１０】
【発明の実施の形態】
以下本発明の実施例について図面を参照して説明する。
【００１１】
図１は本発明を適用した走査装置を示す側面図である。図２は図１のＰＯＳシステムを示す正面図である。図１及び図２において、走査装置１４はテーブル１２上に配置されている。オペレータ１６はテーブル１２の前に立ち、買い物籠１８の中の物品を取り出して走査装置１４によって走査をする。
【００１２】
走査装置１４は走査ユニット２０を含み、走査ユニット２０はスタンドの形体の本体２２に配置されている。走査ユニット２０は、ほぼ垂直な第１読み取り窓２４と、第１読み取り窓２４よりも少し前に突出して斜め下に向いた第２読み取り窓２６とを有する。第１読み取り窓２４及び第２読み取り窓２６から出るレーザ走査光は物品に設けられたバーコードに照射され、その反射光が走査ユニット２０の内部に設けられた検出手段によって読み取られる。
【００１３】
走査装置１４はさらに電子多項目キーボード２８を含む。電子多項目キーボード２８は横に並べて配置された表示装置３０とキーパッド３２とを含む。表示装置３０は液晶表示装置からなるが、その他の表示装置とすることもできる。表示装置３０は表面にタッチパネルを含み、タッチパネルを指で押すことによって入力を行なうことができる。キーパッド３２は複数のキーを含む。従って、この走査装置１４では、走査ユニット２０によって物品に設けられたバーコードを読み取るばかりでなく、電子多項目キーボード２８（表示装置３０及びキーパッド３２）によって入力を行うことができる。さらに、顧客表示器３４が走査ユニット２０の本体２２に取り付けられている。
【００１４】
図３は図１及び図２のＰＯＳシステムの走査装置１４の表示装置３０とキーパッド３２と関連する支持部材を示す分解斜視図である。図３では、表示装置３０とキーパッド３２の後側が見えている。走査ユニット２０の本体２２の頂部には開口部２２Ａが設けられている。走査装置１４は、電子多項目キーボード２８の表示装置３０とキーパッド３２とを一緒に保持する保持板３６と、保持板３６を走査ユニット２０の本体２２に取り付ける取り付け構造とを備える。
【００１５】
この取り付け構造は、本体２２の頂部で開口部２２Ａの両側の壁に固定されるベース３８と、保持板３６に固定されるヒンジ支持部材４０とを備える。ヒンジ支持部材４０はベース３８に固定される第１部分４０Ａと、保持板３６に固定される第２部分４０Ｂと、第１部分４０Ａと第２部分４０Ｂとを旋回可能に連結するヒンジ部分４０Ｃとを有する。よって、走査装置１４の組み立て後には、保持板３６（電子多項目キーボード２８）は本体２２上で水平な軸線のまわりで旋回可能である。部材４２はヒンジ支持部材４０に取り付けられ、保持板３６（電子多項目キーボード２８）の旋回を制限する。さらに、カバー４４，４５，４６が設けられる。
【００１６】
図４は図３の走査装置１４を示す拡大分解斜視図である。図３及び図４において、走査装置１４は、複数のケーブル４８を保持するためにキーパッド３２及び表示装置３０の一方にフローティング状にケーブルホルダ５０を備える。図示の実施例においては、ケーブルホルダ５０はキーパッド３２に配置される。
【００１７】
図５は図４の表示装置３０とキーパッド３２の水平断面図であり、図６の矢印Ｖから見た図に相当する。図６は図５のキーパッド３２の平面図である。図７は、図６の矢印ＶＩＩ  から見た、図６のキーパッド３２の側面図である。ケーブルホルダ５０はキーパッド３２の後側に配置される。
【００１８】
さらに、図８は図７のケーブルホルダ５０を示す拡大側面図である。図９は図８のケーブルホルダ５０を示す平面図である。図１０は図８及び図９のケーブルホルダ５０を示す拡大断面図である。
【００１９】
図５から図１０において、特に図８から図１０において、ケーブルホルダ５０は、底壁部分５０Ａと、底壁部分５０Ａに対して垂直に延びる一対の平行な側壁部分５０Ｂと、側壁部分５０Ｂの端部において側壁部分５０Ｂの頂部よりも少し低い位置から水平に外側に曲げられた固定部分５０Ｃとを有する。固定部分５０Ｃはねじ穴を有する。ケーブルホルダ５０の長手方向の各端部において、２つの固定部分５０Ｃの間には凹部形状５０Ｄが形成されている。
【００２０】
側壁部分５０Ｂはケーブル４８を保持するための上方に開口した保持溝５０Ｅを有する。１つのケーブル４８が一対の平行な側壁部分５０Ｂの整列した保持溝５０Ｅに押し込まれ、保持される。シールドガスケット５２が一対の平行な側壁部分５０Ｂの間で底壁部分５０Ａの上に挿入される。シールドガスケット５２は、ケーブル４８が保持溝５０Ｅに保持されたときにケーブル４８に接触する。
【００２１】
キーパッド３２は保持板３６をキーパッドに固定するための４つの固定ボス５４を有する。このうち、２つの固定ボス５４はケーブルホルダ５０の領域にある。２つの固定ボス５４は図９にも示されている。ケーブルホルダ５０はキーパッド３２に配置されるときに、固定ボス５４が凹部形状５０Ｄ内に入るようにされる。固定ボス５４と凹部形状５０Ｄとの間には間隙があり、ケーブルホルダ５０は制限された範囲内で可動なようにキーパッド３２に支持される。また、図４に示されるように、表示装置３０にはブラケット５６が固定されている。ブラケット５６はねじ穴を有する固定部分５８を有する。
【００２２】
さらに、図６に示されるように、キーパッド３２はケーブル４８の端部のコネクタに接続されるコネクタ６２Ａ，６２Ｂ，６２Ｃ，６２Ｄを有する。
【００２３】
図１１はケーブルの一部を示す図である。各ケーブル４８は、複数のワイヤ４８Ｐと、複数のワイヤ４８Ｐを取り囲むシールド編組４８Ｑと、シールド編組４８Ｑを取り囲む被覆４８Ｒとからなる。被覆４８Ｒは点４８Ｓにおいて切断され、シールド編組４８Ｑが露出する。露出したシールド編組４８Ｑは被覆４８Ｒの上に折り返されている。ワイヤ４８Ｐの先端にはコネクタが取り付けられる。
【００２４】
図１２はケーブルの配線図である。ケーブル４８Ａはキーパッド３２と表示装置３０とを接続する。ケーブル４８Ｂはキーパッド３２と走査ユニット２０とを接続する。ケーブル４８Ｃはキーパッド３２と顧客表示器３４とを接続する。ケーブル４８Ｄはキーパッド３２とＰＯＳシステムの制御部６４とを接続する。ケーブル４８Ａは図６のコネクタ６２Ａに接続され、ケーブル４８Ｂはコネクタ６２Ｂに接続され、ケーブル４８Ｃはコネクタ６２Ｃに接続され、ケーブル４８Ｃはコネクタ６２Ｃに接続される。図１２の領域Ａはケーブルホルダ５０の位置する領域である。
【００２５】
図４に示されるように、保持板３６はねじ６６，６８，７０を通す多数の穴を有する。さらに、保持板３６は、ケーブル４８が見えるように設けられた４つの開口部を有し、そして、左側の２つの開口部の間にブリッジ状に形成された接触部分３６Ａを有する。
【００２６】
走査装置１４の組み立てに際して、まずケーブル４８（４８Ａ〜４８Ｄ）のコネクタをキーパッド３２のコネクタ６２（６２Ａ〜６２Ｄ）に接続する。ケーブルホルダ５０を固定ボス５４が凹部形状５０Ｄ内にくるようにキーパッド３２に配置する。それから、全てのケーブル４８をケーブルホルダ５０の保持溝５０Ｅに押し込み、保持させる。ケーブルホルダ５０はフローティング状にキーパッド３２に配置される。
【００２７】
次に、保持板３６を表示装置３０及びキーパッド３２（電子多項目キーボード２８）に取り付ける。このとき、ねじ６６を保持板３６の穴を通して固定ボス５４のねじ穴に螺合し、ねじ６８を保持板３６の穴を通してブラケット５６の固定部分５８のねじ穴に螺合する。これによって、保持板３６は表示装置３０及びキーパッド３２に固定される。それから、ねじ７０を保持板３６の穴を通してケーブルホルダ５０の固定部分５０Ｃのねじ穴に螺合する。ケーブルホルダ５０は保持板３６に固定される。
【００２８】
この組み立て作業において、保持板３６を表示装置３０及びキーパッド３２に取り付けるときに、複数のケーブル４８はケーブルホルダ５０によって保持され、ケーブルホルダ５０はキーパッド３２にフローティング状に配置されている。ケーブルホルダ５０は動くことはできるが、ほぼ一定の位置に維持される。従って、複数のケーブル４８は組み立てに際してはまとめてほぼ所定の位置に保持されるので、組み立て作業の邪魔にならない。また、ケーブル４８が噛みこまれることがない。狭い作業環境下でも保持板３６を表示装置３０及びキーパッド３２に素速く取り付けることができ、組み立ての作業性が向上する。
【００２９】
ケーブルホルダ５０はキーパッド３２にほぼ所定の位置に配置されているので、ケーブルホルダ５０を保持板３６に容易に固定することができる。固定後には、ケーブル４８は保持板３６に対して固定的に保持されていることになり、その後でケーブル４８がこすれたりすることがなくなる。
【００３０】
ケーブル４８は保持板３６の右下の切り欠き部３６Ｂから保持板３６の外側へ引き出されるが、このときにはケーブル５４はフローティング状のケーブルホルダ５０に保持されているのでケーブル４８に無理な力がかからない。ケーブルホルダ５０をキーパッド３２に対して配置させるために、固定ボス５４を利用しており、キーパッド３２に特別の部材を設ける必要がない。
【００３１】
組み立ての後半の工程においては、表示装置３０及びキーパッド３２が取り付けられた保持板３６はヒンジ支持部材４０に取り付けられ、ヒンジ支持部材４０はベース３８に取り付けられる。保持板３６の右下の切り欠き部３６Ｂから保持板３６の外側へ引き出されたケーブル４８は、本体２２の頂部の開口部２２Ａに挿入され、本体２２の関連するコネクタに接続される。それから、カバー４４，４５，４６が取り付けられる。
【００３２】
図５及び図１０に示されるように、保持板３６の接触部分３６Ａはケーブルホルダ５０の一対の側壁部分５０Ｂの間に進入できるように形成されている。保持板３６をキーパッド３２に取り付けるときに、接触部分３６Ａはケーブルホルダ５０に向かって図１０の矢印Ｂの方向に進み、保持溝５０Ｅに保持されたケーブル４８に強制的に接触するようになっている。より詳細には、図１１を参照して説明した被覆４８Ｒの上に折り返された露出したシールド編組４８Ｑの部分がケーブルホルダ５０上に位置するようになっており、接触部分３６Ａはケーブル４８のシールド編組４８Ｑに強制的に接触するようになっている。その結果、ケーブル４８のシールド編組４８Ｑはシールドガスケット５２と保持部材３６の接触部分３６Ａの間にサンドイッチされる。
【００３３】
保持板３６及びケーブルホルダ５０は金属で作られている。シールドガスケット５２は弾力性をもった導電材料で作られる。ケーブル４８のシールド編組４８Ｑは本体２２の内部のフィールドグランドに接続される。従って、表示装置３０及びキーパッド３２の筐体の表面に付着した静電気は、ケーブルホルダ５０、保持板３６及びケーブル４８のシールド編組４８Ｑを介して本体２２の内部のフィールドグランドに流れる。このため、表示装置３０及びキーパッド３２は筐体の表面に付着した静電気に影響されることなく正常に作動することができる。
【００３４】
以上説明した例は下記の特徴を含む。
【００３５】
（付記１）  走査ユニットを有する本体と、表示装置と、キーパッドと、該表示装置と該キーパッドとを一緒に保持する保持部材と、該保持部材を該本体に取り付ける取り付け構造と、複数のケーブルを保持する保持部分を有し且つ該キーパッド及び該表示装置の一方にフローティング状に配置されたケーブルホルダとを備え、前記保持部材は該保持部材が該キーパッドに取り付けられるときに該ケーブルホルダに保持されたケーブルに接触せしめられる接触部分を有し、各ケーブルは、複数のワイヤと、該ワイヤを取り囲むシールド編組と、該シールド編組を取り囲む被覆とからなり、該保持部材の接触部分は該ケーブルのシールド編組に接触することを特徴とする走査装置。
【００３６】
（付記２）  該ケーブルホルダは、該キーパッドに配置され且つ該保持部材が該キーパッドに取り付けられるときに該保持部材に固定されることを特徴とする付記１に記載の走査装置。
【００３７】
（付記３）  該キーパッドを該ケーブルホルダに固定する固定部材が該ケーブルホルダの領域内に位置することを特徴とする付記２に記載の走査装置。
【００３８】
（付記４）  該固定部材はねじ穴を有するボスからなることを特徴とする付記３に記載の走査装置。
【００３９】
（付記５）  該ケーブルホルダは制限された範囲内で可動なように該ボスと協働する凹部形状を有することを特徴とする付記４に記載の走査装置。
【００４０】
（付記６）  各ケーブルのシールド編組は被覆の上に折り返され、該保持部材の接触部分は該ケーブルのシールド編組の被覆の上に折り返された部分に接触することを特徴とする付記１に記載の走査装置。
【００４１】
（付記７）  該ケーブルホルダの複数のケーブルを保持する保持部分は保持溝からなり、該保持部材の接触部分は該保持部材が該キーパッドに向かって動かされるときに該保持溝に保持されたケーブルのシールド編組に強制的に接触することを特徴とする付記６に記載の走査装置。
【００４２】
（付記８）  シールドガスケットが該ケーブルホルダに配置され、該ケーブルのシールド編組は該シールドガスケットと該保持部材の接触部分の間にサンドイッチされることを特徴とする付記７に記載の走査装置。
【００４３】
（付記９）  該表示装置と該キーパッドとは横に並んで該保持部材に保持され且つ該走査ユニットの上方で該本体に支持されることを特徴とする付記１に記載の走査装置。
【００４４】
（付記１０）  さらに顧客表示器が走査ユニットの本体に取り付けられることを特徴とする付記１に記載の走査装置。
【００４５】
【発明の効果】
以上説明したように、本発明によれば、組み立ての作業性が優れた走査装置を得ることができる。
【図面の簡単な説明】
【図１】図１は本発明を適用したＰＯＳシステムを示す側面図である。
【図２】図２は図１のＰＯＳシステムを示す正面図である。
【図３】図３は図１及び図２のＰＯＳシステムの走査装置の表示装置とキーパッドと関連する支持部材を示す分解斜視図である。
【図４】図４は図３の走査装置を示す拡大分解斜視図である。
【図５】図５は図４の表示装置とキーパッドの水平断面図である。
【図６】図６は図５のキーパッドの平面図である。
【図７】図７は図６のキーパッドの側面図である。
【図８】図８は図７のケーブルホルダを示す拡大側面図である。
【図９】図９は図８のケーブルホルダを示す平面図である。
【図１０】図１０は図８及び図９のケーブルホルダを示す断面図である。
【図１１】図１１はケーブルの一部を示す図である。
【図１２】図１２はケーブルの配線図である。
【符号の説明】
１０…ＰＯＳシステム
１４…走査装置
２０…走査ユニット
２２…本体
２８…電子多項目キーボード
３０…表示装置
３２…キーパッド
３４…顧客表示器
３６…保持板
４８…ケーブル４８
５０…ケーブルホルダ
５２…シールドガスケット
５４…固定ボス
【図１】
2004280456.tif 000003
【図２】
2004280456.tif 000004
【図３】
2004280456.tif 000005
【図４】
2004280456.tif 000006
【図５】
2004280456.tif 000007
【図６】
2004280456.tif 000008
【図７】
2004280456.tif 000009
【図８】
2004280456.tif 000010
【図９】
2004280456.tif 000011
【図１０】
2004280456.tif 000012
【図１１】
2004280456.tif 000013
【図１２】
2004280456.tif 000014